(57)【要約】  同軸操作ユニット（２００）のための取付け装置（１００）と、取付け装置（１００）に取り付けられた同軸操作ユニット（２００）とを備えるクロステーブルが提案される。取付け装置（１００）が、第１の係合構造（１１１）を備えた、同軸的に内側に位置する内側シャフト（１１０）と、該内側シャフト（１１０）を同軸的に取り囲み、第２の係合構造（１２１）を備えた中空シャフト（１２０）とを有しており、同軸操作ユニット（２００）が、第１の対向構造（２１１）を備えた、同軸的に内側に位置する内側シャフト（２１０）と、内側シャフト（２１０）を同軸的に取り囲み、第２の対向構造（２２１）を備えた中空シャフト（２２０）とを有しており、第１の係合構造（１１１）と、第１の対向構造（２１１）とにより、引っ張りにより解除可能な、相対回動不能な第１の連結部（３１０）が形成されており、第２の係合構造（１２１）と、第２の対向構造（２２１）とにより、引っ張りにより解除可能ではない、相対回動不能な第２の連結部（３２０）が形成されており、第２の連結部（３２０）は同時に第１の連結部（３１０）の、引っ張りによる解除を阻止していることが規定される。同軸操作ユニット（２００）を取り付けるための１つまたは複数の取付け装置（１００）を備えた対応するクロステーブル（１）および対応する顕微鏡（１）も本発明の対象である。
2019503511.tif 000002
【特許請求の範囲】
【請求項１】
同軸操作ユニット（２００）用の取付け装置（１００）と、該取付け装置（１００）に取り付けられた同軸操作ユニット（２００）とを備えるクロステーブル（１）において、
前記取付け装置（１００）は、第１の係合構造（１１１）を備えた、同軸的に内側に位置する内側シャフト（１１０）と、該内側シャフト（１１０）を同軸的に取り囲み、第２の係合構造（１２１）を備えた中空シャフト（１２０）とを有し、
前記同軸操作ユニット（２００）は、第１の対向構造（２１１）を備えた、同軸的に内側に位置する内側シャフト（２１０）と、該内側シャフト（２１０）を同軸的に取り囲み、第２の対向構造（２２１）を備えた中空シャフト（２２０）とを有し、
前記第１の係合構造（１１１）および前記第１の対向構造（２１１）により、引っ張りにより解除可能な、相対回動不能な第１の連結部（３１０）が形成されており、
前記第２の係合構造（１２１）および前記第２の対向構造（２２１）により、引っ張りにより解除可能ではない、相対回動不能な第２の連結部（３２０）が形成されており、前記第２の連結部（３２０）は、引っ張りにより前記第１の連結部（３１０）が同時に解除されることを阻止していることを特徴とする、クロステーブル（１）。
【請求項２】
前記取付け装置（１００）は、
前記取付け装置（１００）の前記内側シャフト（１１０）を同軸的に取り囲み、前記取付け装置（１００）の前記中空シャフト（１２０）により同軸的に取り囲まれた、第３の係合構造（１３１）を備える支持スリーブ（１３０）を有し、
前記同軸操作ユニット（２００）は、
前記同軸操作ユニット（２００）の前記内側シャフト（２１０）を同軸的に取り囲み、前記同軸操作ユニット（２００）の前記中空シャフト（２２０）により同軸的に取り囲まれた、第３の対向構造（２３１）を備える支持スリーブ（２３０）を有し、
前記第３の係合構造（１３１）および前記第３の対向構造（２３１）により、引っ張りにより解除可能な、相対回動不能な第３の連結部（３３０）が形成されており、前記第３の連結部（３３０）の引っ張りによる解除も、相対回動不能な前記第２の連結部（３２０）が阻止している、請求項１記載のクロステーブル（１）。
【請求項３】
前記第１の係合構造（１１１）および前記第１の対向構造（２１１）、ならびに／または前記第３の係合構造（１３１）および前記第３の対向構造（２３１）は、それぞれ互いに対して相補的な溝およびキー、突出部および切欠き、ならびに／または歯列部を有している、請求項２記載のクロステーブル（１）。
【請求項４】
前記第２の係合構造（１２１）および前記第２の対向構造（２２１）は、互いに対して相補的なねじ山付きエレメント（１２２）を有している、請求項１から３までのいずれか１項記載のクロステーブル（１）。
【請求項５】
前記内側シャフト（１１０，２１０）を介して、前記クロステーブル（１）の第１の線形駆動装置（３０）に回動運動が伝達可能であり、
前記中空シャフト（１２０，２２０）を介して、前記クロステーブル（１）の第２の線形駆動装置（４０）に回動運動が伝達可能である、請求項１から４までのいずれか１項記載のクロステーブル（１）。
【請求項６】
前記同軸操作ユニット（２００）の前記内側シャフト（１１０）は、第１の操作エレメント（２１２）に相対回動不能に結合されており、
前記同軸操作ユニット（２００）の前記中空シャフト（１２０）は、第２の操作エレメント（２２２）に相対回動不動に結合されている、請求項１から５までのいずれか１項記載のクロステーブル（１）。
【請求項７】
同軸操作ユニット（２００）を取り付けるための取付け装置（１００）を備えたクロステーブル（１）であって、
前記取付け装置（１００）は、
第１の係合構造（１１１）を備える、同軸的に内側に位置する内側シャフト（１１０）と、
前記内側シャフト（１１０）を同軸的に取り囲み、第２の係合構造（１２１）を備える中空シャフト（１２０）と、
を有し、
前記第１の係合構造（１１１）は、引っ張りにより解除可能な、相対回動不能な第１の連結部（３１０）を第１の対向構造（２１１）と共に形成するようになっており、
前記第２の係合構造（１２１）は、引っ張りにより解除可能ではない、相対回動不能な第２の連結部（３２０）を第２の対向構造（２２１）と共に形成するようになっており、前記第２の連結部（３２０）は、引っ張りにより前記第１の連結部（３１０）が同時に解除されることを阻止していることを特徴とする、同軸操作ユニット（２００）を取り付けるための取付け装置（１００）を備えたクロステーブル（１）。
【請求項８】
請求項８の特徴部に記載の、同軸操作ユニット（２００）を取り付ける２つ以上の取付け装置（１００）が設けられていることを特徴とする、クロステーブル（１）。
【請求項９】
請求項１から８までのいずれか１項記載のクロステーブル（１）を備えることを特徴とする、顕微鏡。
【発明の詳細な説明】
【技術分野】
【０００１】
本発明は、独立請求項の上位概念部に記載の形式の同軸操作ユニット用の１つまたは複数の取付け装置を備えたクロステーブルと、相応する顕微鏡とに関する。
【０００２】
先行技術
特に顕微鏡のためのクロステーブルは、典型的にはアームに対して水平方向に不動であるベースユニットと、それぞれ水平方向に可動である２つのキャリッジとを有している。これらのキャリッジの運動のために、同軸駆動装置が設けられていてよく、この同軸駆動装置は、同軸的に内側に位置する内側シャフトと、この内側シャフトを同軸的に取り囲む中空シャフトとを有していてよい。内側シャフトと中空シャフトとは、それぞれ操作エレメント、特にローレット目を刻まれた駆動つまみに相対回動不能に結合されている。この駆動つまみによって、それぞれ回動運動が内側シャフトと中空シャフトとに導入され得る。それぞれ内側シャフトと中空シャフトとに相対回動不能に結合された被駆動手段、たとえばピニオンまたは滑車を介して、この回動運動が線形駆動装置において、キャリッジを運動させるための線形運動へと変換され得る。
【０００３】
同軸駆動装置は、内側シャフトを同軸的に取り囲み、かつ中空シャフトにより同軸的に取り囲まれる支持スリーブをさらに有していてよい。この支持スリーブは、クロステーブルのベースユニットに相対回動不能に結合されていて、内側シャフトおよび中空シャフトの回動運動により形成されたトルクを支持する。相応する同軸駆動装置は、かなり以前から公知であり、たとえば独国特許発明第３０２７４６１号明細書（DE3027461C1）または独国特許発明第１０２４６２７６号明細書（DE10246276B4）に示されている。
【０００４】
同軸駆動装置を用いて長時間にわたって疲労せずに作業することは、特に、ユーザの手が操作中に主に顕微鏡の載置面、またはそのために設けられたアームレストに置かれ、ユーザが同軸駆動装置の操作エレメントをたとえば親指ならびに人差し指および／または中指でつまむことによって確保され得る。しかし、様々な手の大きさ、好みの手の姿勢および場合によっては通常とは異なる操作の癖に基づいて、顕微鏡の全てのユーザによって快適に感じられる操作エレメントの位置を定義することは実際にはほとんど不可能である。操作エレメントの位置は、特に内側シャフトおよび中空シャフトの長さにより決定されるので、位置を簡単に変更することはできない。
【０００５】
相応する問題は、クロステーブルが、たとえば顕微鏡における改造に基づいて、同軸駆動装置が本来設けられていた位置よりも、一時的に著しく高いか、または低い位置にもたらされる場合にも生じてしまう。この場合、場合によっては同軸駆動装置の操作エレメントは、もはや上述の疲労しない形ではユーザの手によって到達され得なくなってしまう。
【０００６】
さらに最後に、様々なユーザが、たとえば同様に様々な手の大きさおよび／または指の力に基づいて、種々異なる大きさおよび構成の操作エレメントを特に快適であると見なすこともある。しかし操作エレメントは、各シャフトから簡単に分離して交換することはできない。たとえば、独国特許出願公開第１０２００４０５５３９７号明細書（DE102004055397A1）に記載されているように、特定のユーザグループは、場合によっては同軸作動装置を全く用いないクロステーブルの操作を好む。このユーザグループにとって、同軸駆動装置は全体的に邪魔であることがわかった。さらに左利きの人にとっては、右利きの人用にクロステーブルの右側に取り付けられた同軸駆動装置では操作が困難である。
【０００７】
上述の問題は、基本的には同軸駆動装置用の種々異なる長さの、または種々異なって形成された同軸操作ユニットを提供し、同軸操作ユニットを交換する可能性を提供し、かつ／またはこのような同軸操作ユニットをクロステーブルの種々異なる位置へ取り付ける、または同軸操作ユニットを取り外す可能性を提供することにより扱われる。
【０００８】
独国特許出願公開第１０２００４０５５３９７号明細書（DE102004055397A1）は、相応する取外し可能な同軸操作ユニットを提案している。
【０００９】
同軸操作ユニットとは、ここでは、同軸駆動装置の一部、特に内側シャフトおよび中空シャフトまたはこれらのシャフトの規定された区分を含むユニットであると理解される。しかしこのユニットは、特に、同軸駆動装置により駆動される線形駆動装置からは分離されているか、または手間のかかる機械的な介入なしに、特にユーザによってこの線形駆動装置から分離可能である。同軸操作ユニットは特に上述の操作エレメントも支持する。
【００１０】
特に、線形駆動装置の対応するラックに噛み合うピニオンを被駆動手段として使用する場合、同軸操作ユニットの交換時に問題が生じてしまう。典型的には、特にピニオンおよびラックの製造中に実際に存在する公差に基づいて、相応するアセンブリの遊びのない平滑運転を確保するためには、手間のかかる調整作業が必要である。したがって、独国特許出願公開第１０２００４０５５３９７号明細書（DE102004055397A1）において提案されている、同軸操作ユニットの交換は、遊びのない平滑運転を達成しようとする場合には、手間のかかる調整作業または極めて小さな公差を必要とする。さらに、交換のために、ここでは六角レンチの形態の工具が必要である。
【００１１】
本発明はこの背景から、クロステーブルに設けられた、同軸操作ユニットの形態の同軸駆動装置の部分を簡単かつ調整の必要なしに交換可能にする可能性を提供しようとするものである。
【００１２】
発明の開示
この背景から、本発明は、独立請求項に記載の特徴を備える、同軸操作ユニット用の１つまたは複数の取付け装置を備えたクロステーブルと、相応する顕微鏡とを提案する。好適な態様はそれぞれ従属請求項ならびに下記の説明の対象である。
【００１３】
本発明は、たとえば独国特許出願公開第１０２００４０５５３９７号明細書（DE102004055397A1）において提案されている、クロステーブルもしくは相応する線形駆動装置のラックと、対応するピニオンとの間で、クロステーブルから同軸操作ユニットを分離することとは異なり、内側シャフトと、中空シャフトと、相応する部材の連結部との互いに対する分割が特に有利である、という知識に基づいている。相応する同軸操作ユニットを交換するための本発明により提供された可能性では、手間のかかる調整は不要である。特に、以下にさらに詳細に説明するように、交換は付加的な工具なしに実施され得る。
【００１４】
本発明は、同軸操作ユニット用の取付け装置と、この取付け装置に取り付けられた同軸操作ユニットとを備えた、特に顕微鏡用のクロステーブルを提案する。取付け装置は、本発明によれば、第１の係合構造を備えた、同軸的に内側に位置する内側シャフトと、この内側シャフトを同軸的に取り囲み、第２の係合構造を備えた中空シャフトとを有している。つまり、たとえば独国特許出願公開第２００４０５５３９７号明細書（DE2004005397A1）において提案されるような先行技術による取付け装置とは異なり、本発明により提案された取付け装置自体が、同軸操作ユニットの取外し時にも対応する線形駆動装置内に継続的に係合する対応する軸区分を有している。
【００１５】
したがって、取付け装置もしくはこの取付け装置に取り付けられたピニオンまたは滑車のような被駆動手段は、同軸操作ユニットの交換時にクロステーブルまたは線形駆動装置の相応する対向構造から分離される必要がない。この形式によって、これらの構成要素は、たとえば工場において調整された位置に持続的に留まることができ、同軸操作ユニットの交換時に調整作業は必要ではない。本発明は、この形式により常に同軸駆動装置の回動運動もしくはこの同軸駆動装置に接続されている線形駆動装置の遊びのない伝達を調整なしに確保している。
【００１６】
取付け装置に設けられた係合構造は、相応する線形駆動装置に係合する被駆動手段に対して、内側シャフトおよび中空シャフトのそれぞれ他方に端部に取り付けられている。この場合、特に、中空シャフトの第２の係合構造は、以下にさらに詳しく説明するように、内側シャフトの第１の係合構造を同軸的に取り囲んでいてよい。
【００１７】
既に述べたように、取付け装置には同軸操作ユニットが取り付けられ得る。同軸操作ユニットは、同様に同軸的に内側に位置する内側シャフトならびにこの内側シャフトを同軸的に取り囲む中空シャフトを有している。同軸操作ユニットの内側シャフトは、第１の対向構造を有しており、同軸操作ユニットの中空シャフトは第２の対向構造を有している。第１の係合構造と第１の対向構造とはそれぞれ、第１の係合構造と第１の対向構造の係合時に、これらの構造によって、引っ張りもしくは軸方向に互いに離れる方向への運動によって解除可能である、相対回動不能な第１の連結部が形成されるように、構成されている。これに対して第２の係合構造と第２の対向構造とは、第２の係合構造と第２の対向構造の係合時に、これらの構造によって、引っ張りにより解除可能ではない、相対回動不能な第２の連結部が形成されるように、構成されている。第２の連結部は、この場合、引っ張りもしくは軸方向に互いに離れる方向への運動による第１の連結部の解除を阻止する。
【００１８】
引っ張りにより解除可能な、相対回動不能なこれらの連結部は、先行技術から種々異なる構成で知られている。この場合、連結部構造、つまり第１の係合構造および第１の対向構造が、専ら相応するシャフトの回転軸線に沿った軸方向に互いに離れる方向への運動によって係合が解除され得る場合、「引っ張りにより」もしくは「軸方向で互いに離れる運動により」連結部は解除可能である。連結エレメントは、換言すると、互いに対して引っ張り耐性に結合されていない。相応する連結部は、専門分野において、「軸方向に可動な」連結部とも呼ばれる。軸方向に可動な連結部のための公知の例は、単に噛み合いエレメントが互いに離れる方向に運動することによって分離され得る噛み合いクラッチである。
【００１９】
本発明の枠内では、取付け装置の内側シャフトと同軸操作ユニットの内側シャフトとが、それぞれの中空シャフトに対して軸方向に位置不動である、つまり内側シャフトは中空シャフトに対してその回転軸線を中心として回動され得るが、その回転軸線に沿って並進的に運動することはできないか、小さな範囲でしか並進運動され得ない。したがって、取付け装置の中空シャフトの第２の係合構造と、同軸操作ユニットの中空シャフトの第２の対向装置とが、引っ張りにより解除可能ではない、相対回動不能な、第１の連結部を同軸的に取り囲む第２の連結部を形成する場合、これによって取付け装置の内側シャフトの第１の対向構造と、同軸操作ユニットの内側シャフトの第１の対向構造との互いに離れる方向への運動も阻止される。したがって相応する第１の連結部も、第２の連結部により係合したままとなるか、もしくは分離を阻止され得る。
【００２０】
このことは、この形式により第１の連結部を、専ら第１の係合構造と第１の対向構造との入れ子式の運動によってのみ形成することができ、かつ第２の連結部のみが、堅固な結合部を形成しながら形成されなければならないので特に有利である。この形式によって、同軸操作ユニットと相応する取付け装置との簡単かつ特に工具の不要な結合が可能である。
【００２１】
既に述べたように、公知のクロステーブルでは、内側シャフトが支持スリーブにより取り囲まれていてよく、この支持スリーブ自体も中空シャフトにより取り囲まれている。このようなクロステーブルでも、本発明を使用することができる。この場合、取付け装置は、有利には取付け装置の内側シャフトを同軸的に取り囲み、かつ取付け装置の中空シャフトにより同軸的に取り囲まれた、第３の係合構造を備えた支持スリーブを有している。この場合、同軸操作ユニットは、同軸操作ユニットの内側シャフトを同軸的に取り囲み、かつ同軸操作ユニットの中空シャフトにより同軸的に取り囲まれた、第３の対向構造を備えた支持スリーブを有している。内側シャフトと外側シャフトとは、それぞれ互いに対して独立して、支持スリーブの内側もしくは外側で回動可能であるが、支持スリーブに対して軸方向には移動可能ではないか、もしくはほとんど移動可能ではない。相応する同軸操作ユニットが取付け装置に取り付けられている場合、第３の係合構造および第３の対向構造により、引っ張りにより解除可能な、相対回動不能な第３の連結部が形成される。この連結部の引っ張りによる解除も、相対回動不能な第２の連結部により阻止される。
【００２２】
相対回動不能な第３の連結部のためには、相対回動不能な第１の連結部のための上記の説明がほぼ適用される。特に、第３の係合構造は第１の係合構造を同軸的に取り囲むことができる。第３の係合構造は、同時に第２の係合構造の内部に同軸的に配置されていてよい。相応することが、各対向構造にも当てはまる。したがって、第２の連結部は第３の連結部を同軸的に取り囲み、第３の連結部は同様に第１の連結部を同軸的に取り囲むことができる。
【００２３】
本発明は、このような形式で、簡単かつ工具不要の形式で、つまり単に第１の連結部および第３の連結部の構成要素を互いに内外に嵌め込み、かつ第２の連結部を固定することによって、同軸駆動装置の機械的に関連する上述の全ての構成要素を互いに対して結合することを可能にする。
【００２４】
第１および第３の連結部の特に簡単な形成のためには、第１の係合構造および第１の対向構造、ならびに／または存在している場合には第３の係合構造および第３の対向構造が、有利にはそれぞれ互いに対して相補的な溝およびキー、突出部および切欠き、ならびに／または歯列部を有している。この場合、基本的には、係合している場合に、上記の構成要素の互いに対する相互の回動運動を阻止する全ての公知の機械的な構造が適している。特に、本発明の枠内では、第１の係合構造および第１の対向構造が、溝アセンブリおよびキーアセンブリの形態で形成されていてよい。この場合、組付け時にユーザは、たとえば溝を簡単かつ手間のかかる視覚的な検査を要せずに、キーに「嵌め込む」。第３の係合構造および第３の対向構造は、この場合、有利な形式でリングギアとして形成されていてよく、これらのリングギアは、第１の連結部の形成後に互いに内外に噛み合う。この場合、リングギアは、互いに向かい合って方向付けられていて、入れ子式に移動するにつれ、相応する支持スリーブの回転軸線に沿って回転しながら、互いに内外にガイドされる。したがって、第１の係合構造と第１の対向構造とが互いに係合されるや否や、または第２の係合構造と第２の対向構造とが互いに係合されるや否や、第３の係合構造と第３の対向構造との互いに対する手間のかかる位置決めはもはや不要となる。第１の係合構造および第１の対向構造もしくは第２の係合構造および第２の対向構造は、取付け装置のシャフトおよび支持スリーブの軸線を軸方向で互いに対して位置決めする。
【００２５】
有利には、第２の係合構造および第２の対向構造が、引っ張りにより解除可能ではない第２の連結部を形成するために、互いに対して相補的なねじ山付きエレメントを有している。たとえば、この場合、袋ナットが設けられていてよく、特に第２の係合構造および第２の対向構造が、第２の連結部を形成するために互いに対して必要となる位置にもたらされた場合に、この袋ナットは、それぞれ別のエレメントのねじ山にねじ被せることができる。対応する袋ナットの対応する寸法設計および構成、たとえばローレット目により、この袋ナットはユーザにより工具なしにねじ被せられ、手でしっかりと取り付けられ得る。対応する同軸駆動装置を介して伝達される比較的に小さな力に基づいて、このように手でしっかりと取り付けることで十分である。しかし当然ながら、必要に応じて適切な工具を使用することもできる。ねじ山エレメントはこの場合、有利な形式で、部分的にまたは完全にねじ締結された状態で第１の連結部および第３の連結部の構成要素の確実な係合を確保する位置へともたらされる。
【００２６】
係合構造および対向構造が、有利な形式でセンタリング手段、たとえば円錐体および対応する円錐形の孔を含んでいてよく、これらの円錐体および孔は、各連結部の形成時に、シャフトおよび支持スリーブの軸線の互いに対する正確な配向を確保する。たとえば、ねじ山を支持する第２の対向構造が、付加的に相応する中空円錐体を備えていてよく、この中空円錐体に、第１の係合構造に設けられた円錐形の切欠きが被せ嵌められる。この場合、中空円錐体と円錐形の切欠きの中心軸線は、取付け装置と同軸操作ユニットの中空シャフトの回転軸線に一致する。
【００２７】
既に述べたように、顕微鏡用の公知のクロステーブルは、一般的には線形駆動装置、たとえば同軸駆動装置により駆動され得るピニオンラックおよび／または滑車を有している。同様に既に述べたように、本発明のクロステーブルの取付け装置において、シャフトが取り付けられている（内側シャフトおよび中空シャフト）。これらのシャフトは、相応する線形駆動装置に接続されているか、もしくはピニオンおよび滑車のような適切な被駆動手段を介して継続的に、このような線形駆動装置の対応する相補的な構成要素に係合している。これにより、同軸操作ユニットの交換後の調整は不要である。特に、相応するクロステーブルにおいて、内側シャフトを介して、回動運動が第１の線形駆動装置に伝達可能であり、中空シャフトを介して、回動運動がクロステーブルの第２の線形駆動装置に伝達可能であると有利である。
【００２８】
有利な形式で、同軸操作ユニットにおいて、内側シャフトが第１の操作エレメントに接続されていて、中空シャフトが第２の操作エレメントに接続されている。この場合、操作エレメントは、たとえば、ユーザにより操作され得る回転つまみとして形成されている。この場合、種々異なる同軸操作ユニットは、種々異なる長さを有している、かつ／または種々異なる幾何学形状および寸法設計を備えた操作エレメントを備えていてよい。
【００２９】
取付け装置、およびこの取付け装置に取り付けられた同軸操作ユニットを備えるクロステーブルの他に、本発明は、クロステーブルであって、対応する同軸操作ユニットを取り付けるようになっているが、対応する同軸操作ユニットを支持しない取付け装置を備えるクロステーブルにも関する。この場合、取付け装置に取付け可能な同軸操作ユニットは、上記で説明したように構成されている。つまり同軸操作ユニットは、第１の対向構造を備える、同軸的に内側に位置する内側シャフトと、この内側シャフトを同軸的に取り囲み、第２の対向構造を備える中空シャフトとを有している。取付け装置の第１の係合構造は、同軸操作ユニットの第１の対向構造との、引っ張りにより解除可能な回動固定された第１の連結部を形成するようになっており、第２の係合構造は、同軸操作ユニットの第２の対抗構造との、引っ張りにより解除可能ではない回動固定された第２の連結部を形成するようになっている。この場合、第２の連結部は、対応する連結部が形成されている場合に、第１の連結部の解除を阻止する。対応するクロステーブルおよび上述の構成要素の特徴および利点に関しては、上述の説明を参照することができる。
【００３０】
上記で説明したような同軸操作ユニットを取り付けるための２つ以上の取付け装置を有するクロステーブルが特に有利である。この形式により、選択的に左または右側で操作位置において対応する取付け装置が設けられていることにより、対応するクロステーブルのたとえば左利きおよび右利きによる操作が可能にされる。同軸駆動装置を完全に用いない対応するクロステーブルの操作を望むユーザの場合、同軸操作ユニットは完全に取り除かれてよい。
【００３１】
これに関しても、かつ対応するクロステーブルにより優れている本発明により提案された顕微鏡に関しても、上述の説明を参照することができる。
【００３２】
本発明の別の利点および態様は、詳細な説明および添付の図面から明らかである。なお、上述で挙げられた特徴および以下で説明される特徴は、本発明の枠を逸脱することなしに、それぞれ記載された組み合わせだけではなく、他の組み合わせでも、単独でも使用可能である。
【００３３】
本発明を実施例につき図面に概略的に図示し、以下に図面に関連して説明する。
【図面の簡単な説明】
【００３４】
【図１】本発明の実施形態による同軸操作ユニットを備えた取付け装置を示す図である。
【図２】Ａ〜Ｄは、本発明の実施形態の詳細を示す図である。
【図３】Ａ〜Ｂは、本発明の実施形態によるクロステーブルを示す図である。
【００３５】
図面の詳細な説明
図１には、本発明の特に好適な実施形態による、取り付けられた同軸操作ユニットを備える取付け装置が示されている。この取付け装置は、全体的に符号１００で示されていて、同軸操作ユニットは全体的に符号２００で示されている。
【００３６】
取付け装置１００は、クロステーブル１のベースユニット５０に取り付けられている。このクロステーブル１は、図３Ａおよび図３Ｂに関連して説明される。取付け装置１００は、内側に位置する内側シャフト１１０と、この内側シャフトを同軸的に取り囲む中空シャフト１２０とを有している。内側シャフト１１０と中空シャフト１２０との間には、図示の実施例では支持スリーブ１３０が設けられている。支持スリーブ１３０は、クロステーブルのベースユニット５０内に相対回動不動に取り付けられている。内側シャフト１１０と中空シャフト１２０とは、支持スリーブ１３０内で回転するか、もしくは支持スリーブ１３０の周囲で回転するようになっている。
【００３７】
内側シャフト１１０には、第１の係合構造１１１が形成されていて、中空シャフト１２０には、第２の係合構造１２１が形成されていて、支持スリーブには第３の係合構造１３１が形成されている。図示の実施例では、第１の係合構造は溝として形成されており、第２の係合構造１２１は、袋ナット１２２の支持体として形成されており、第３の係合構造は冠スリーブ（Kronenhuelse）として形成されている。内側シャフト１１０は、被駆動エレメント１１２に結合されており、この被駆動エレメント１１２は、ここでは著しく簡略化されて図示されている線形駆動装置３０に係合する。中空シャフト１２０は、被駆動エレメント１２３、たとえばリングギアを備えていてよく、このリングギアは相応する線形駆動装置４０に係合する。
【００３８】
同軸操作ユニット２００も、内側シャフト２１０、中空シャフト２２０および支持スリーブ２３０を有している。同軸操作ユニット２００の内側シャフト２１０には、第１の対向構造２１１が結合されていて、同軸操作ユニット２００の中空シャフト２２０には、第２の対向構造２２１が結合されていて、同軸操作ユニット２００の支持スリーブ２３０には、第３の対向構造２３１が結合されている。
【００３９】
第１の対向構造２１１は、ここでは、歯付きスリーブとして形成された第３の対向構造２３１によって同軸的に取り囲まれているキーユニットとして形成されている。第１の対向構造２１１および第３の対向構造２３１は、ねじ山付きユニットとして形成され、かつ袋ナット１２２にねじ締結することができる第２の対向構造２２１によって形成されている。袋ナット１２２を第２の対向構造２２１のねじ山構造にねじ被せることにより、取付けユニット１００の中空シャフト１２０と同軸操作ユニット２００の中空シャフト２２０とが互いに結合され得る。相応する結合により、取付け装置１００の内側シャフト１１０に設けられた第１の係合構造１１１の、同軸操作ユニット２００の内側シャフト２１０の第１の対向構造２１１内への係合が同時に確立される。相応のことが、取付け装置の支持スリーブ１３０に設けられた第３の係合構造１３１と、同軸操作ユニットの支持スリーブ２３０に設けられた第３の対向構造２３１にも当てはまる。
【００４０】
この場合、第１の係合構造１１１と第１の対向構造２１１とによって、引っ張りにより解除可能な連結部３１０が形成され、この連結部３１０は本明細書において第１の連結部と呼ばれる。第３の係合構造１３１と第３の対向構造２３１とによって、引っ張りにより解除可能な連結部３３０が形成され、この連結部３３０は本明細書において第３の連結部と呼ばれる。引っ張りによる第１の連結部および第３の連結部の解除は、同軸操作ユニット２００の中空シャフト２２０に設けられた第２の対向構造２２１と袋ナット１２２とのねじ締結により阻止される。第２の係合構造１２１と第２の対向構造２２１とによって、もしくは袋ナット１２２を使用しながら、本明細書において第２の連結部と呼ばれる、ねじ締結されているがゆえに引っ張りにより解除可能ではない連結部３２０が形成される。連結部３１０，３２０および３３０は、図２Ｃおよび２Ｄに示されている。
【００４１】
説明された連結部３１０〜３３０とは反対に位置する側に、同軸操作ユニット２００は操作エレメントを有している。この場合、同軸操作ユニット２００の内側シャフト１１０には、第１の操作エレメント２１２が結合されていて、同軸操作ユニット２００の中空シャフト２２０には、第２の操作エレメント２２２が結合されている。取付けのために、それぞれ相応する固定部２１３もしくは２１４が設けられていてよい。これらの固定部２１３，２１４は、操作エレメント２１２もしくは２２２の相対回動不能な取付け部を形成し、同時に支持スリーブ２３０に対する内側シャフト２１０もしくは中空シャフト２２０の軸方向の運動を阻止する。取付け装置１００の中空シャフト１２０および同軸操作ユニット２００の中空シャフト２２０の、各支持スリーブ１３０もしくは２３０に対する改善された可動性のために、適切な転がり軸受け１４０，２４０が設けられていてよい。
【００４２】
図２Ａ〜図２Ｄには、図１に図示した構成要素の詳細がもう一度示されているが、相応する参照符号は部分的にしか付されていない。ここで、図２Ａは取付け装置１００を示し、図２Ｂは同軸操作ユニット２００を示し、図２Ｃは第１の連結部３１０を示し、図２Ｄは第３の連結部３３０を示している。図２Ａ〜図２Ｄにそれぞれ示された構成要素は、既に図１に関連して説明されているので、図１での説明を参照することができる。
【００４３】
図３Ａおよび図３Ｂには、本発明の好適な実施形態によるクロステーブルがそれぞれ示されており、全体として符号１で示されている。同軸操作ユニット用の取付け装置は、図３でも符号１００で示されており、対応する同軸操作ユニットは符号２００で示されている。クロステーブル１は、移動可能な第１のユニット１０と、移動可能な第２のユニット２０とを有していて、これらの移動可能なユニット１０，２０は、図１で概略的に示され、図１において符号３０もしくは４０で示されているような線形駆動装置にそれぞれ連結されていてよく、これによって同軸駆動装置もしくは同軸駆動装置の同軸操作ユニット２００により移動され得る。ユニット１０もしくは２０は、ベースユニット５０上に移動可能に取り付けられている。この場合、図３Ａは、取り付けられた同軸操作ユニット２００を有する取付けユニット１００を備えるクロステーブル１を示しており、図３Ｂでは、同軸操作ユニット２００は取り除かれている。
【符号の説明】
【００４４】
１  クロステーブル
３０，４０  線形駆動装置
１０  移動可能な第１のユニット
２０  移動可能な第２のユニット
５０  ベースユニット
１００  同軸操作ユニット用の取付け装置
２００  同軸操作ユニット
１１０，２１０  内側シャフト
１２０，２２０  中空シャフト
１３０，２３０  支持スリーブ
１１１  第１の係合構造
１１２，１２３  被駆動エレメント
１２１  第２の係合構造
１２２  袋ナット
１３１  第３の係合構造
１４０，２４０  転がり軸受け
２１１  第１の対向構造
２１２  第１の操作エレメント
２１３，２１４  固定部
２２１  第２の対向構造
２２２  第２の操作エレメント
２３１  第３の対向構造
３１０  第１の連結部
３２０  第２の連結部
３３０  第３の連結部
【図１】
2019503511.tif 000003
【図２Ａ】
2019503511.tif 000004
【図２Ｂ】
2019503511.tif 000005
【図２Ｃ】
2019503511.tif 000006
【図２Ｄ】
2019503511.tif 000007
【図３Ａ】
2019503511.tif 000008
【図３Ｂ】
2019503511.tif 000009
【国際調査報告】
2019503511.tif 000010
2019503511.tif 000011
2019503511.tif 000012
2019503511.tif 000013